(57)【要約】【課題】単純な機構でユーザに適正な撮影距離を告知することのできる撮影装置を提供することを目的とする。【解決手段】被写体の画像の撮影を行う撮影装置に於いて、撮像レンズ２２と、光源２７とを有している。この撮影装置による近接撮影時は、上記光源２７から発する光を、合焦距離を示す結像ポイントとして、上記撮像レンズ２２の合焦点面上に結像させる。【選択図】      図１
2005049732.tif 000002
【特許請求の範囲】
【請求項１】
被写体の画像の撮影を行う撮影装置に於いて、
撮影レンズと、
発光部を有し、上記発光部から発する光を合焦距離を示す表示として上記撮影レンズの合焦点面上に結像させる投光手段と、
を具備することを特徴とする撮影装置。
【請求項２】
上記表示は、点、文字、またはマークであることを特徴とする請求項１に記載の撮影装置。
【請求項３】
音声を記録する録音手段と、
上記録音手段に於いて音声を記録しているときに、上記発光部を用いて録音中であることを示す発光表示を行う録音状態表示手段と、
を更に具備することを特徴とする請求項１に記載の撮影装置。
【請求項４】
上記撮影レンズとは別に設けられたもので対物レンズを含むファインダを更に具備し、
上記発光部は上記ファインダ内に配置され、上記発光部から発された光は上記ファインダの対物レンズを介して上記撮影レンズの合焦点面上に結像されることを特徴とする請求項１に記載の撮影装置。
【請求項５】
上記投光手段は、上記発光部から発する光を合焦距離を示す表示として上記撮影レンズの合焦点面上に結像させる際に、撮影範囲よりも外側の範囲に上記表示を結像させることを特徴とする請求項１に記載の撮影装置。
【請求項６】
撮影範囲を観察するためのファインダを更に具備し、
上記投光手段は、上記発光部から発する光を合焦距離を示す表示として上記撮影レンズの合焦点面上に結像させる際に、上記ファインダの視野内に上記表示を結像させることを特徴とする請求項５に記載の撮影装置。
【請求項７】
上記投光手段は、近接撮影時の上記撮影レンズの合焦点面上に上記表示を結像させることを特徴とする請求項１に記載の撮影装置。
【請求項８】
被写体の画像の撮影を行う撮影装置に於いて、
撮影レンズと、
上記撮影レンズの合焦距離と同じ距離だけ該撮影装置から離間した位置に表示を結像させる投光手段と、
を具備することを特徴とする撮影装置。
【請求項９】
上記表示は、点、文字、またはマークであることを特徴とする請求項８に記載の撮影装置。
【請求項１０】
音声を記録する録音手段と、
上記録音手段に於いて音声を記録しているときに、上記発光部を用いて録音中であることを示す発光表示を行う録音状態表示手段と、
を更に具備することを特徴とする請求項８に記載の撮影装置。
【請求項１１】
上記撮影レンズとは別に設けられたもので対物レンズを含むファインダを更に具備し、
上記発光部は上記ファインダ内に配置され、上記発光部から発された光は上記ファインダの対物レンズを介して上記撮影レンズの合焦点面上に結像されることを特徴とする請求項８に記載の撮影装置。
【請求項１２】
上記投光手段は、上記発光部から発する光を合焦距離を示す表示として上記撮影レンズの合焦点面上に結像させる際に、撮影範囲よりも外側の範囲に上記表示を結像させることを特徴とする請求項８記載の撮影装置。
【請求項１３】
撮影範囲を観察するためのファインダを更に具備し、
上記投光手段は、上記発光部から発する光を合焦距離を示す表示として上記撮影レンズの合焦点面上に結像させる際に、上記ファインダの視野内に上記表示を結像させることを特徴とする請求項１２に記載の撮影装置。
【請求項１４】
上記投光手段は、近接撮影時の上記撮影レンズの合焦点面上に上記表示を結像させることを特徴とする請求項１２に記載の撮影装置。
【発明の詳細な説明】
【技術分野】
【０００１】
本発明は撮影が可能な撮影装置に関し、より詳細には、撮影時の合焦表示が可能な撮影装置に関するものである。
【背景技術】
【０００２】
近年、小型で安価な撮影装置が、種々開発されている。そして、安価な撮影装置の場合、撮影画像を確認するための液晶表示画面を有していないものがある。そのため、マクロ撮影時等は、合焦距離の確認のために、カメラに付属されているストラップを合焦距離と同じ長さにして、撮影の際にはそのストラップをあてがって被写体までの距離を測定し、ピントを合わせるという手法が用いられていた。
【０００３】
また、近距離側の所定距離以内に被写体が存在するとシャッタの開口動作を制御するカメラが知られている（例えば、特許文献１参照）。
【０００４】
更に、撮影光学系とは別のファインダ光学系内に二重増合致式の距離計を設け、ピントが合う位置で像が一致するようにして、ファインダ内で合焦状態を確認することができる技術が知られている（例えば、特許文献２参照）。
【特許文献１】特開２００２−３３３６４７号公報
【特許文献２】特開平７−３３３４８４号公報
【発明の開示】
【発明が解決しようとする課題】
【０００５】
しかしながら、上述したストラップを使用する方法では、ユーザは片手でストラップを引っ張って被写体までの距離を計測しなければならず、操作性の悪いものであった。
【０００６】
更に、上述した特許文献１によるカメラでは、所定の距離を検知するためのセンサや回路等が必要となり、部品点数の増加や装置の肥大化を招く虞れがあった。
【０００７】
一方、上述した特許文献２による方法では、ファインダ内の部品点数が増加する等、機構が複雑化すると共に大型化して、コスト上昇という問題もあった。
【０００８】
本発明は、上記実状に鑑みてなされたものであり、近接撮影時等で、単純な機構でユーザに適正な撮影距離を告知することのできる撮影装置を提供することを目的とする。
【課題を解決するための手段】
【０００９】
すなわち、請求項１に記載の発明は、被写体の画像の撮影を行う撮影装置に於いて、撮影レンズと、発光部とを有し、上記発光部から発する光を合焦距離を示す表示として上記撮影レンズの合焦点面上に結像させる投光手段と、を具備することを特徴とする。
【００１０】
請求項２に記載の発明は、請求項１に記載の発明に於いて、上記表示は、点、文字、またはマークであることを特徴とする。
【００１１】
請求項３に記載の発明は、請求項１に記載の発明に於いて、音声を記録する録音手段と、上記録音手段に於いて音声を記録しているときに、上記発光部を用いて録音中であることを示す発光表示を行う録音状態表示手段と、を更に具備することを特徴とする。
【００１２】
請求項４に記載の発明は、請求項１に記載の発明に於いて、上記撮影レンズとは別に設けられたもので対物レンズを含むファインダを更に具備し、上記発光部は上記ファインダ内に配置され、上記発光部から発された光は上記ファインダの対物レンズを介して上記撮影レンズの合焦点面上に結像されることを特徴とする。
【００１３】
請求項５に記載の発明は、請求項１に記載の発明に於いて、上記投光手段は、上記発光部から発する光を合焦距離を示す表示として上記撮影レンズの合焦点面上に結像させる際に、撮影範囲よりも外側の範囲に上記表示を結像させることを特徴とする。
【００１４】
請求項６に記載の発明は、請求項５に記載の発明に於いて、撮影範囲を観察するためのファインダを更に具備し、上記投光手段は、上記発光部から発する光を合焦距離を示す表示として上記撮影レンズの合焦点面上に結像させる際に、上記ファインダの視野内に上記表示を結像させることを特徴とする。
【００１５】
請求項７に記載の発明は、請求項１に記載の発明に於いて、上記投光手段は、近接撮影時の上記撮影レンズの合焦点面上に上記表示を結像させることを特徴とする。
【００１６】
請求項８に記載の発明は、被写体の画像の撮影を行う撮影装置に於いて、撮影レンズと、上記撮影レンズの合焦距離と同じ距離だけ該撮影装置から離間した位置に表示を結像させる投光手段と、を具備することを特徴とする。
【００１７】
請求項９に記載の発明は、請求項８に記載の発明に於いて、上記表示は、点、文字、またはマークであることを特徴とする。
【００１８】
請求項１０に記載の発明は、請求項８に記載の発明に於いて、音声を記録する録音手段と、上記録音手段に於いて音声を記録しているときに、上記発光部を用いて録音中であることを示す発光表示を行う録音状態表示手段と、を更に具備することを特徴とする。
【００１９】
請求項１１に記載の発明は、請求項８に記載の発明に於いて、上記撮影レンズとは別に設けられたもので対物レンズを含むファインダを更に具備し、上記発光部は上記ファインダ内に配置され、上記発光部から発された光は上記ファインダの対物レンズを介して上記撮影レンズの合焦点面上に結像されることを特徴とする。
【００２０】
請求項１２に記載の発明は、請求項８に記載の発明に於いて、上記投光手段は、上記発光部から発する光を合焦距離を示す表示として上記撮影レンズの合焦点面上に結像させる際に、撮影範囲よりも外側の範囲に上記表示を結像させることを特徴とする。
【００２１】
請求項１３に記載の発明は、請求項１２に記載の発明に於いて、撮影範囲を観察するためのファインダを更に具備し、上記投光手段は、上記発光部から発する光を合焦距離を示す表示として上記撮影レンズの合焦点面上に結像させる際に、上記ファインダの視野内に上記表示を結像させることを特徴とする。
【００２２】
請求項１４に記載の発明は、請求項１２に記載の発明に於いて、上記投光手段は、近接撮影時の上記撮影レンズの合焦点面上に上記表示を結像させることを特徴とする。
【発明の効果】
【００２３】
本発明によれば、単純な機構でユーザに適正な撮影距離を告知することのできる撮影装置を提供することができる。
【００２４】
すなわち、請求項１に記載の発明によれば、単純な機構でユーザに適正な撮影距離を告知することができる。
【００２５】
請求項２に記載の発明によれば、近接撮影による合焦が点、文字、またはマークによる表示でわかるので、目視による確認が容易である。
【００２６】
請求項３に記載の発明によれば、録音状態にある場合も容易に確認することができる。
【００２７】
請求項４に記載の発明によれば、合焦表示であることを容易に確認することができる。
【００２８】
請求項５に記載の発明によれば、被写体が合焦面からずれている場合でも、合焦表示が写り込むことなく撮影することができる。
【００２９】
請求項６に記載の発明によれば、近接撮影時にファィンダを通しても合焦表示であることを容易に確認することができる。
【００３０】
請求項７に記載の発明によれば、合焦表示であることを容易に確認することができる。
【００３１】
請求項８に記載の発明によれば、近接撮影時に、単純な機構でユーザに適正な撮影距離を告知することのできる撮影装置を提供することができる。
【００３２】
請求項９に記載の発明によれば、近接撮影による合焦が点、文字、またはマークによる表示でわかるので、目視による確認が容易である。
【００３３】
請求項１０に記載の発明によれば、録音状態にある場合も容易に確認することができる。
【００３４】
請求項１１に記載の発明によれば、合焦表示であることを容易に確認することができる。
【００３５】
請求項１２に記載の発明によれば、被写体が合焦面からずれている場合でも、合焦表示が写り込むことなく撮影することができる。
【００３６】
請求項１３に記載の発明によれば、近接撮影時にファィンダを通しても合焦表示であることを容易に確認することができる。
【００３７】
請求項１４に記載の発明によれば、合焦表示であることを容易に確認することができる。
【発明を実施するための最良の形態】
【００３８】
以下、図面を参照して本発明の実施の形態を説明する。
【００３９】
図１は、本発明の撮影装置が適用されたもので、本発明の一実施形態に係る音声記録再生機能付カメラの構成を示した外観図であり、（ａ）は側面図、（ｂ）は表面側を示した図、（ｃ）は（ｂ）の一部を切り欠いて拡大して示した図である。
【００４０】
音声記録再生機能付カメラの本体１０の表面側には、音声を電気信号に変換するための内蔵マイク１１と、録音中であることを表す録音状態表示手段としての録音表示ランプ１２と、例えばＬＣＤ等で構成されるディスプレイ１３とが設けられている。このディスプレイ１３は、音声を録音する際、該音声を録音する動作に関する情報等が表示される。
【００４１】
上記本体１０の表面側で、ディスプレイ１３の下方には、録音指示手段である録音釦１４と、集中釦１５と、メニュー／フォルダ釦１７と、消去釦１８の、録音、再生時に使用される各種操作釦と、撮影時の操作を行うためのレリーズ釦２０が配設されている。
【００４２】
尚、録音釦１４が押された場合には、上記内蔵マイク１１にて音声から変換された電気信号を本体１０内部の図示されない音声処理回路によってデータ化し、それを本体１０内蔵の図示されない記録媒体に記録する録音動作が行われる。これら、上記内蔵マイク１１、上記音声処理回路及び上記記録媒体は、それぞれ録音手段を構成する。
【００４３】
上記集中釦１５は、例えば停止、スキップ、逆スキップ、再生、早送り、早戻し等の操作を行うための釦が配置されている。
【００４４】
また、上記メニュー／フォルダ釦１７は、ディスプレイ１３に表示される各種操作メニューを表示させるための切換え釦及びフォルダ切換え用の兼用釦である。
【００４５】
また、本体１０の側面部には、撮影時の被写体観察用のファインダ２１と、撮像レンズ（撮影レンズ）２２と、光源結像用レンズ２３が、それぞれ配設されている。この場合、ファインダ２１と撮像レンズ２２との間に、光源結像用レンズ２３が配設されている。また、撮像レンズ２２の下方には、通常撮影と近接（マクロ）撮影とのモードを切換えるためのマクロ切換えスイッチ２５が設けられている。
【００４６】
上記光源結像用レンズ２３は、後述するように、上記本体１０内に設けられたＬＥＤ等で構成された光源２７により照射された光を、図示されない被写体に導いて結像するために設けられている。尚、上記光源２７は投光手段を構成するものであり、録音釦１４が押されて録音状態にあるときに、録音中であることを示す録音表示ランプ１２を兼用している。
【００４７】
また、上記本体１０内で上記撮影レンズ２２の後方には、撮像モジュール２８が内蔵されている。この撮像モジュール２８により、撮影レンズ２２を介して図されない被写体の画像が得られると、内蔵する画像処理回路（図示せず）等で画像処理が施された後、記録媒体（図示せず）に記録されるようになっている。また、本体１０の裏面側には、スピーカ２９が設けられている。
【００４８】
図２（ａ）は、このようにして構成された音声記録再生機能付カメラを使用して被写体を撮影する例を示した図である。
【００４９】
撮影時には、図２（ａ）に示されるように、ユーザは音声記録再生機能付カメラの本体１０の長手方向を横にして構え、手３０で把持する。そして、通常は、ファインダ２１を覗きながら被写体３２を捉え、レリーズ釦２０を操作することによって撮影する。
【００５０】
マクロ撮影時は、ユーザによりマクロ切換えスイッチ２５が切換えられて、マクロ撮影モードにされる。すると、光源２７が発光されて光源結像用レンズ２３を介して、被写体３２に対して光が照射される。被写体３２に対してピントがあっていない場合は、この照射されている点がぼやけているので、目視により確認される。
【００５１】
そして、例えば、図２（ａ）に示されるように、距離Ｌの点で被写体３２のピントが合ったものとする。この距離Ｌが、光源２７からの光を結像させる距離である。そして、この距離Ｌに於ける点が結像ポイント３３となり、目視によってピントが合っていることを確認することができる。尚、このマクロ撮影時の距離Ｌは、光源２７及び結像用レンズ２３によって予め定められている。
【００５２】
このときの結像ポイント３３は、図示されるように、単に光の点であってもよいし、その他の形状であっても合焦時に目視で確認が容易になるものであればよい。例えば、図２（ｂ）に示されるような十字形状の指標３３ａ、図２（ｃ）に示されるような表示文字３３ｂ、更には図２（ｄ）に示されるようなマーク３３ｃであってもよい。
【００５３】
更に、結像ポイント３３の確認は、ファインダ２１を通して見るものであっても、ファインダ２１を介さずに直接目視するものであってもよい。
【００５４】
このように、結像ポイント３３によってピントが合ったことを確認したならば、ユーザはレリーズ釦２０を押す。これによって、マクロ撮影によるピントの合った画像を得ることができる。
【００５５】
図３は、ファィンダ２１と撮像レンズ２２及び光源結像用レンズ２３の配置を示した図である。
【００５６】
ファィンダ２１と撮像レンズ２２及び光源結像用レンズ２３をこのような配置にしたのには、以下のような理由による。
【００５７】
図４は、マクロ撮影時に於けるファインダ２１の観察範囲と撮像レンズ２２の撮影範囲を説明する図である。
【００５８】
いま、ファインダ２１の観察範囲と撮像レンズ２２の撮影範囲は、合焦面に於いては、図４に示されるように設定されている。すなわち、撮像レンズ２２の撮影範囲は、ファインダ２１による観察範囲よりも狭い範囲となっている。
【００５９】
ここで、ファインダの観察範囲内で、且つ撮影範囲内に結像ポイント３３（図２参照）が存在する場合は、ファインダ２１を通して確認することができるものの、撮影範囲内であるため、撮影した画像に結像ポイント３３が写り込んでしまう。
【００６０】
一方、図中Ｅで示される範囲は、光源２７からの光を結像させても撮影されない範囲である。したがって、図中Ｅで示される範囲に結像ポイント３３を入れるようにすれば、ファインダ２１を通して確認することができても、撮像モジュール２８によって撮影されることがない。
【００６１】
すなわち、図５（ａ）に示されるように、ファインダ２１と撮像レンズ２２の間に光源結像用レンズ２３（光源２７）が配置されるようにすれば、光源２７からの光は撮像レンズ２２の視野枠とほぼ平行に投光できるので、結像ポイント３３の表示は撮影範囲内に入りにくいものとなる。
【００６２】
これに対し、図５（ｂ）に示されるように、撮像レンズ２２とファインダ２１を並べ、更にこのファィンダ２１の外側に結像用レンズ２３が配置されると、合焦面では結像ポイント３３の写り込みは起き難い。しかしながら、被写体が合焦面よりも遠い場合は、図５（ｂ）に×印で示されるように、結像ポイント３３の表示が写り込んでしまう可能性が高くなる。
【００６３】
更に、図５（ｃ）に示されるように、撮像レンズ２２とファインダ２１を並べ、更に撮像レンズ２２の隣に結像用レンズ２３が配置されると、合焦面では結像ポイント３３の写り込みは起き難い。しかしながら、被写体が合焦面よりも近い場合は、図５（ｃ）に×印で示されるように、結像ポイント３３の表示が写り込んでしまう可能性が高くなる。
【００６４】
以上のことから、光源結像用レンズ２３は、ファインダ２１と撮像レンズ２２との間に配置されるのが好ましい。
【００６５】
また、以上の写り込みが解消されていれば、光源２７をファインダ２１内に配置して、上記光源２７から照射された光をファインダの対物レンズを介することで撮像レンズ２２の合焦点面上に結像されるようにしてもよい。
【００６６】
尚、上述した実施形態に於いては、光源２７から照射される光は結像用レンズ２３を介して被写体に照射されるようにしているが、これに限られるものではない。つまり、被写体に対して距離Ｌでピントが合うように集光するものであれば、例えば凹面鏡を使用してもよい。
【００６７】
また、上述した実施形態では、カメラ機能による撮影時にはレリーズ釦２０を使用するようにしているが、例えば、録音釦１４がレリーズ釦を兼用して、カメラ機能に切換えた後に録音釦１４が押されればレリーズ釦として作用するようにしてもよい。このように構成すれば、更に部品点数の削減を図ることができる。
【００６８】
更に、上述した実施形態では結像ポイントの表示用に光源２７を用いているが、これは撮影ランプや録音ランプのＬＥＤを使用してもよい。或いは、フラッシュ装置等の補助光を光源として使用するものであってもよい。
【００６９】
尚、上述した実施形態では、単に画像としてデジタルカメラを例として説明したが、銀塩フィルムを使用したカメラにも適用可能であるのは勿論である。
【図面の簡単な説明】
【００７０】
【図１】本発明の撮影装置が適用されたもので、本発明の一実施形態に係る音声記録再生機能付カメラの構成を示した外観図であり、（ａ）は側面図、（ｂ）は表面側を示した図、（ｃ）は（ｂ）の一部を切り欠いて拡大して示した図である。
【図２】（ａ）は図１の構成の音声記録再生機能付カメラを使用して被写体を撮影する例を示した図、（ｂ）〜（ｄ）は結像ポイントの他の例を示すもので、（ｂ）は十字形状の指標３３ａを示した図、（ｃ）は表示文字３３ｂを示した図、（ｄ）はマーク３３ｃを示した図である。
【図３】ファィンダ２１と撮像レンズ２２及び光源結像用レンズ２３の配置を示した図である。
【図４】マクロ撮影時に於けるファインダ２１の観察範囲と撮像レンズ２２の撮影範囲を説明する図である。
【図５】ファインダ２１と撮像レンズ２２と光源結像用レンズ２３（光源２７）との配置による結像ポイント３３の表示例について説明する図である。
【符号の説明】
【００７１】
１０…本体、１１…内蔵マイク、１２…録音表示ランプ、１３…ディスプレイ、１４…録音釦、１５…集中釦、１７…メニュー／フォルダ釦、１８…消去釦、２０…レリーズ釦、２１…ファインダ、２２…撮像レンズ、２３…光源結像用レンズ、２５…マクロ切換えスイッチ、２７…光源、２８…撮像モジュール、３３…結像ポイント。
【図１】
2005049732.tif 000003
【図２】
2005049732.tif 000004
【図３】
2005049732.tif 000005
【図４】
2005049732.tif 000006
【図５】
2005049732.tif 000007